(57)【要約】【課題】簡易に識別性を向上させることが可能な表示付与方法及び表示付与物品を提供することを目的とする。【解決手段】表示付与方法は、物品１０の表面に、物品１０の表面とは異なる色の塗料２を層状に塗布するステップと、塗料２をレーザ光の照射によって部分的に除去し、文字、記号又は図形である識別情報１を形成するステップとを有する。この場合において、塗料２を所定の領域に塗布し、該所定の領域内において、塗料２が除去された部分によって、表示が形成されてもよい。【選択図】図２
2018008395.tif 000002
【特許請求の範囲】
【請求項１】
物品の表面に、前記物品の表面とは異なる色の塗料である第１塗料を層状に塗布するステップと、
前記第１塗料をレーザ光の照射によって部分的に除去し、文字、記号又は図形である表示を形成するステップと、
を有する表示付与方法。
【請求項２】
前記第１塗料を所定の領域に塗布し、
前記領域内において、前記第１塗料が除去された部分によって、前記表示が形成される請求項１に記載の表示付与方法。
【請求項３】
前記第１塗料が部分的に除去された後、前記第１塗料が残存した部分によって、前記表示が形成される請求項１に記載の表示付与方法。
【請求項４】
物品の表面に、第１塗料を層状に塗布するステップと、
前記第１塗料の表面に、前記第１塗料とは異なる色の塗料である第２塗料を層状に塗布するステップと、
レーザ光の照射によって前記第１塗料を残存させながら前記第２塗料を部分的に除去し、文字、記号又は図形である表示を形成するステップと、
を有する表示付与方法。
【請求項５】
前記表示は、前記物品の情報に関する識別情報である請求項１から４のいずれか１項に記載の表示付与方法。
【請求項６】
物品の表面に塗布され、レーザ光が照射されて部分的に除去された、前記物品の表面とは異なる色の塗料である第１塗料によって、文字、記号又は図形である表示が形成された表示付与物品。
【請求項７】
物品の表面に第１塗料が塗布されており、かつ、
前記第１塗料に塗布され、レーザ光が照射されて部分的に除去された、前記第１塗料とは異なる色の塗料である第２塗料によって、文字、記号又は図形である表示が形成された表示付与物品。
【発明の詳細な説明】
【技術分野】
【０００１】
本発明は、表示付与方法及び表示付与物品に関するものである。
【背景技術】
【０００２】
個々の物品（例えばメーカの製品など）について、物品のカタログ番号だけでなく、製造工程の履歴等を区別するため、それぞれの物品に異なる識別番号や識別マーク（バーコード、２次元コードなど）を付する場合がある。ユーザーは、物品に付された識別番号や識別マークを認識することによって、物品に関する詳細な情報を取得できるようになる。
【０００３】
下記の特許文献１では、物品のリサイクルを容易にするとともに、インクを用いた印刷工程を排除して、物品外面にバーコードを表示できるようにするため、金属部分とプラスチック部分を備え、プラスチック部分の表面には、レーザ光照射によって、バーコードが発色表示され、金属部分の表面には、レーザ光照射によって、標示が刻印される技術が開示されている。
【先行技術文献】
【特許文献】
【０００４】
【特許文献１】特開２００１−２９１０７６号公報
【発明の概要】
【発明が解決しようとする課題】
【０００５】
集積回路（ＩＣ）などの部品は、プラスチック製であって、表面が黒色などの暗色であることが多い。物品の製品番号など、複数の物品に対して同一の数字や記号を付する場合は、シルク印刷によって白色の数字や記号を印刷することが一般的である。しかし、シルク印刷では、メッシュ状のスクリーンに焼き付け、現像処理を行う必要があるため、物品ごとに異なる識別番号や識別マークを付する場合は、シルク印刷は適切ではない。
【０００６】
プラスチックにレーザ光を照射して、部品ごとに異なる識別番号や識別マークを刻印することが考えられるが、黒色等のプラスチック部分に対して刻印をしても、ユーザーが目視したり、識別マークの読み取り機が読み取ったりすることは困難である。また、特許文献１には、レーザーの照射によって発色するプラスチックを用いることが記載されているが、物品を製造する段階で、特殊な添加剤を混合してプラチックを成形する必要がある。そのため、物品単価が高くなるおそれがあり、また、購入してきた物品に対して当該技術を適用することは難しい。
【０００７】
本発明は、このような事情に鑑みてなされたものであって、簡易に識別性を向上させることが可能な表示付与方法及び表示付与物品を提供することを目的とする。
【課題を解決するための手段】
【０００８】
上記課題を解決するために、本発明の表示付与方法及び表示付与物品は以下の手段を採用する。
すなわち、本発明の第１態様に係る表示付与方法は、物品の表面に、前記物品の表面とは異なる色の塗料である第１塗料を層状に塗布するステップと、前記第１塗料をレーザ光の照射によって部分的に除去し、文字、記号又は図形である表示を形成するステップとを有する。
【０００９】
本発明の第２態様に係る表示付与方法は、物品の表面に、第１塗料を層状に塗布するステップと、前記第１塗料の表面に、前記第１塗料とは異なる色の塗料である第２塗料を層状に塗布するステップと、レーザ光の照射によって前記第１塗料を残存させながら前記第２塗料を部分的に除去し、文字、記号又は図形である表示を形成するステップとを有する。
【００１０】
本発明の第３態様に係る表示付与方法は、物品の表面に塗布され、レーザ光が照射されて部分的に除去された、前記物品の表面とは異なる色の塗料である第１塗料によって、文字、記号又は図形である表示が形成されている。
【００１１】
本発明の第３態様に係る表示付与方法は、物品の表面に第１塗料が塗布されており、かつ、レーザ光が照射されて部分的に除去された、前記第１塗料とは異なる色の塗料である第２塗料によって、文字、記号又は図形である表示が形成されている。
【発明の効果】
【００１２】
本発明によれば、簡易に識別性を向上させることができる。
【図面の簡単な説明】
【００１３】
【図１】本発明の一実施形態に係る識別情報を形成する前の塗料を示す縦断面図である。
【図２】本発明の一実施形態に係る識別情報を示す縦断面図である。
【図３】本発明の一実施形態に係る識別情報を形成する前の塗料を示す平面図である。
【図４】本発明の一実施形態に係る識別情報を示す平面図である。
【図５】本発明の一実施形態に係る識別情報の変形例を示す平面図である。
【図６】本発明の一実施形態に係る識別情報を形成する前の複数層の塗料を示す縦断面図である。
【図７】本発明の一実施形態に係る識別情報を示す縦断面図である。
【発明を実施するための形態】
【００１４】
本発明の一実施形態に係る識別情報１は、図２及び図４に示すように、物品１０の表面、例えば、ノート型パーソナルコンピュータ（ノートパソコン）、タブレット型コンピュータの筐体表面や、集積回路（ＩＣ）のパッケージ表面等に付与される。なお、本実施形態に係る識別情報１が付与される物品１０は、これらの例に限定されない。
【００１５】
識別情報１は、文字、記号又は図形の少なくともいずれか一つからなり、例えば、物品１０ごとに異なる識別番号や識別マーク（バーコード、２次元コードなど）である。ユーザーは、物品１０に付された識別番号や識別マークを認識することによって、物品１０に関する詳細な情報、例えば、物品のカタログ番号、製造工程の履歴等を取得できるようになる。
【００１６】
識別情報１は、硬化した層状の塗料２であり、物品１０の表面に形成される。塗料２は、物品１０の色と異なる。物品１０が黒色などの暗色である場合、コントラストを有するように、識別情報１は、白色などの明色であることが望ましい。反対に、物品１０が白色などの明色である場合、識別情報１は、黒色などの暗色であるとよい。
【００１７】
以下、識別情報１の物品１０に対する付与方法について説明する。
まず、図１及び図３に示すように、物品１０の表面に塗料２を層状に塗布する。図に示す例では、物品１０の表面が黒色であり、塗料２が白色である。物品１０に対する塗料２の塗布は、例えばシルク印刷によって行われる。塗料２は、例えば紫外線硬化型インクなどである。塗料２は、所定の領域、例えば図３に示すように略四角形形状に塗布される。
【００１８】
塗布された塗料２が硬化した後、塗料２に対してレーザ光を照射することによって、塗料２を部分的に除去し、図２及び図４に示すように、物品１０の表面にて、塗料２による所定の領域の内側に識別情報１を形成する。すなわち、塗料２が除去された部分は、物品１０の表面が露出し、塗料２が除去された部分によって識別情報１が形成される。その結果、物品１０が有する色は、塗料２が有する色と異なることから、物品１０が有する色と塗料２が有する色のコントラストによって、識別情報１がユーザーによって目視されやすく、また、読み取り機によって読み取られやすくなる。
【００１９】
また、上記の例では、塗料２によって形成された所定の領域内に、識別情報１を形成する場合について説明したが、本発明はこの例に限定されない。
【００２０】
すなわち、図１及び図３に示すように、物品１０の表面に塗料２を層状に塗布し、塗布された塗料２が硬化した後、塗料２に対してレーザ光を照射することによって、塗料２を部分的に除去し、図５に示すように、識別情報１を形成してもよい。すなわち、塗料２が部分的に除去された後、塗料２が残存した部分によって、識別情報１が形成される。
【００２１】
この場合も、物品１０が有する色は、塗料２が有する色と異なることから、物品１０が有する色と塗料２が有する色のコントラストによって、識別情報１がユーザーによって目視されやすく、また、読み取り機によって読み取られやすくなる。
【００２２】
さらに、上記の例では、塗料２が１層のみ形成される場合について説明したが、本発明はこの例に限定されない。すなわち、物品１０に塗布される塗料は、２層以上の複数層であってもよい。
【００２３】
たとえば、図６に示すように、物品１０の表面に塗料２を層状に塗布する。物品１０に対する塗料２の塗布は、例えばシルク印刷によって行われる。塗料２は、図６に示すように、物品１０の表面全体に塗布されてもよいし、所定の領域に塗布されてもよい。
【００２４】
塗布された塗料２が硬化した後、塗料２の表面に塗料３を層状に塗布する。例えば、塗料２が黒色であり、塗料３が白色である。塗料３の塗布は、例えばシルク印刷によって行われる。塗料３は、図６に示すように、所定の領域に塗布されてもよいし、物品１０の表面全体に塗布されてもよい。
【００２５】
塗布された塗料３が硬化した後、塗料３に対してレーザ光を照射することによって、塗料２を残存させながら塗料３を部分的に除去し、図７に示すように、塗料２の表面にて、塗料３による所定の領域の内側に識別情報１を形成する。識別情報１は、例えば、上述した例の図４に示すような状態で付与される（なお、図４の符号２は、符号３に置き換え、符号１０は符号２に置き換える。）。すなわち、塗料３が除去された部分は、塗料２の表面が露出し、塗料３が除去された部分によって識別情報１が形成される。その結果、塗料２が有する色は、塗料３が有する色と異なることから、塗料２が有する色と塗料３が有する色のコントラストによって、識別情報１がユーザーによって目視されやすく、また、読み取り機によって読み取られやすくなる。
【００２６】
なお、このように塗料を２層形成する場合も、塗料３によって形成された所定の領域内に、識別情報１を形成する場合に限られない。すなわち、塗料３が部分的に除去された後、塗料３が残存した部分によって、識別情報１が形成されてもよい。この場合、識別情報１は、例えば、上述した例の図５に示すような状態で付与される（なお、図５の符号２は、符号３に置き換え、符号１０は符号２に置き換える。）。
【００２７】
以上、本実施形態によれば、レーザ光によって塗料２，３が除去されることによって、識別情報１が形成され、塗料２とコントラストを有する下地側の物品１０の表面とのコントラスト、又は、塗料３とコントラストを有する下地側の塗料２とのコントラストによって、識別情報１がユーザーによって目視されやすく、また、読み取り機によって読み取られやすくなる。
【００２８】
レーザ光の照射によって、識別情報１を形成できることから、シルク印刷等によって識別情報を付与する場合と比べて、個々の物品ごとに異なる識別情報１を容易に付与できる。また、識別情報１は、硬化した塗料であることから、識別情報１が不要になったときなど除去したい場合は、レーザ光の照射等によって容易に完全に除去できる。
【００２９】
さらに、特許文献１のように、レーザーの照射によって発色するプラスチックを用いる必要がなく、物品１０を製造する段階で、特殊な添加剤を混合してプラチックを成形しなくてもよい。したがって、プラスチック成形に特殊な工程を施すことができない場合、例えば、購入してきた物品１０に対しても、コントラストを有する識別情報１を付与できる。
【００３０】
なお、上述した実施形態では、本実施形態に係る表示付与方法によって付与される表示が識別情報１である場合について説明したが、本発明はこの例に限定されない。すなわち、ブランドマークや、標識、単語や文章による説明表示などであってもよい。
【符号の説明】
【００３１】
１    ：識別情報
２    ：塗料
３    ：塗料
１０  ：物品
【図１】
2018008395.tif 000003
【図２】
2018008395.tif 000004
【図３】
2018008395.tif 000005
【図４】
2018008395.tif 000006
【図５】
2018008395.tif 000007
【図６】
2018008395.tif 000008
【図７】
2018008395.tif 000009